(57)【要約】【課題】正面視認性と側面視認性との差を減らすことで液晶表示装置の画質を向上させる。【解決手段】本発明は、表示装置の駆動装置及びその映像信号の補正方法に関する。本発明の一実施形態による表示装置の駆動装置は、複数の画素を含む表示装置の駆動装置であって、前記画素に対応する映像信号を直前フレームの映像信号との差によって第１補正信号に変換する第１補正部、前記画素に対応する前記第１補正信号を第１出力映像信号及び第２出力映像信号に変換する第２補正部、隣接した画素に対応する前記映像信号の差を利用して、前記画素が映像の境界地域に存在するか否かによる信号を出力する境界検出部、及び前記境界検出部の出力信号に基づいて前記第１出力映像信号の変換信号及び第２出力映像信号の変換信号を形成する第１演算部を有する。【選択図】図３
2008040493.tif 000002
【特許請求の範囲】
【請求項１】
複数の画素を含む表示装置の駆動装置であって、
前記画素に対応する映像信号を第１出力映像信号及び第２出力映像信号に変換する補正部、
隣接した画素に対応する前記映像信号の差を利用して、前記画素が映像の境界地域に存在するか否かによる信号を出力する境界検出部、及び
前記境界検出部の出力信号に基づいて前記第１出力映像信号の変換信号及び第２出力映像信号の変換信号を形成する第１演算部
を有することを特徴とする表示装置の駆動装置。
【請求項２】
前記画素が映像の境界地域に位置しない場合、前記第１出力映像信号の変換信号と前記第２出力映像信号の変換信号は、前記映像信号と同一の信号であることを特徴とする請求項１に記載の表示装置の駆動装置。
【請求項３】
複数の画素を含む表示装置の駆動装置であって、
前記画素に対応する映像信号を直前フレームの映像信号との差によって第１補正信号に変換する第１補正部、
前記画素に対応する前記第１補正信号を第１出力映像信号及び第２出力映像信号に変換する第２補正部、
隣接した画素に対応する前記映像信号の差を利用して、前記画素が映像の境界地域に存在するか否かによる信号を出力する境界検出部、及び
前記境界検出部の出力信号に基づいて前記第１出力映像信号の変換信号及び第２出力映像信号の変換信号を形成する第１演算部
を有することを特徴とする表示装置の駆動装置。
【請求項４】
前記画素が映像の境界地域に位置しない場合、前記第１出力映像信号の変換信号と前記第２出力映像信号の変換信号は、前記第１補正信号と同一の信号であることを特徴とする請求項３に記載の表示装置の駆動装置。
【請求項５】
複数の画素を含む表示装置の駆動装置であって、
前記画素に対応する映像信号を直前フレームの映像信号との差によって第１補正信号に変換する第１補正部、
前記画素に対応する映像信号及び前記直前フレームの映像信号を利用して、前記映像信号を第１出力映像信号及び第２出力映像信号に変換する第２補正部、
隣接した画素に対応する前記映像信号の差を利用して、前記画素が映像の境界地域に存在するか否かによる信号を出力する境界検出部、及び
前記境界検出部の出力信号に基づいて前記第１出力映像信号の変換信号及び第２出力映像信号の変換信号を形成する第１演算部
を有することを特徴とする表示装置の駆動装置。
【請求項６】
前記画素が映像の境界地域に位置しない場合、前記第１出力映像信号の変換信号と前記第２出力映像信号の変換信号は、前記第１補正信号と同一の信号であることを特徴とする請求項５に記載の表示装置の駆動装置。
【請求項７】
第１周波数に入力された、各画素に対する入力映像信号を第１出力映像信号及び第２出力映像信号に変換し、第１出力映像信号及び第２出力映像信号を交互に前記第１周波数より大きい第２周波数で出力する信号制御部、及び
前記第１出力映像信号及び第２出力映像信号をアナログデータ電圧に変換して前記画素に交互に印加するデータ駆動部
を有し、
前記第１出力映像信号及び第２出力映像信号には、前記画素間の前記入力映像信号の差を利用して算出された映像の境界（ｅｄｇｅ）検出値が反映されており、
前記第１出力映像信号及び第２出力映像信号は直前フレームの入力映像信号と比較して決定されることを特徴とする表示装置の駆動装置。
【請求項８】
前記第２周波数は、前記第１周波数の２倍であることを特徴とする請求項７に記載の表示装置の駆動装置。
【請求項９】
前記画素が映像の境界地域に位置した場合、前記第１出力映像信号は前記第２出力映像信号と異なり、前記画素が映像の境界地域に位置しない場合、前記第１出力映像信号と前記第２出力映像信号とが同一であることを特徴とする請求項７に記載の表示装置の駆動装置。
【請求項１０】
前記第１出力映像信号は、前記第２出力映像信号より大きいことを特徴とする請求項９に記載の表示装置の駆動装置。
【請求項１１】
前記信号制御部は、前記入力映像信号を直前フレームの入力映像信号と比較して第１予備補正信号に変換し、前記入力映像信号を上位信号と下位信号とを含む第２予備補正信号に補正したり、前記第１予備補正信号を上位信号と下位信号とを含む第３予備補正信号に変換したりし、前記第１予備補正信号及び第２予備補正信号または前記第１予備信号及び第３予備信号に映像の境界検出結果を反映して前記第１出力信号及び第２出力信号を生成することを特徴とする請求項１０に記載の表示装置の駆動装置。
【請求項１２】
前記下位信号の階調は、０であることを特徴とする請求項１１に記載の表示装置の駆動装置。
【請求項１３】
前記入力映像信号が直前フレームの入力映像信号より所定値以上大きい場合、前記第１予備補正信号は前記入力映像信号より大きいことを特徴とする請求項１１に記載の表示装置の駆動装置。
【請求項１４】
前記第２予備信号の下位信号は、前記第３予備信号の下位信号より低いことを特徴とする請求項１１に記載の表示装置の駆動装置。
【請求項１５】
前記第３予備信号の前記上位信号と前記下位信号による前記画素の光量の合計は、前記第１予備補正信号による前記画素の光量の合計と同一であることを特徴とする請求項１１に記載の表示装置の駆動装置。
【請求項１６】
前記入力映像信号ＩＮから変換された前記第１出力映像信号ＡＮと前記第２出力映像信号ＢＮは、
ＡＮ＝ＩＮ’＋αＮ（ＨＮ−ＩＮ’）
ＢＮ＝ＩＮ’＋αＮ（ＬＮ−ＩＮ’）
[但し、ＩＮ’は前記第１予備補正信号であり、αＮは境界変数であり、ＨＮ及びＬＮは各々前記第２または第３予備補正信号の上位信号及び下位信号である。]
を満たすことを特徴とする請求項１１に記載の表示装置の駆動装置。
【請求項１７】
前記信号制御部は、
前記入力映像信号をフレーム単位で記憶するフレームメモリ、
前記入力映像信号を行単位で記憶する行メモリ、及び
前記フレームメモリ及び前記行メモリから前記入力映像信号を受けて前記第１出力映像信号及び第２出力映像信号を生成する映像信号補正部
を有することを特徴とする請求項１６に記載の表示装置の駆動装置。
【請求項１８】
前記映像信号補正部は、
直前フレームの入力映像信号に基づいて前記入力映像信号を前記第１予備補正信号に変換する第１予備補正部、
前記入力映像信号または前記第１予備補正信号を前記第２予備補正信号に変換する第２予備補正部、
前記入力映像信号に基づいて境界変数を検出する境界検出部、
前記第１予備補正信号、前記第２予備補正信号の上位信号、前記第２予備補正信号の下位信号、及び前記境界変数に基づいて、前記第１出力映像信号及び第２出力映像信号を演算する第１演算部、及び
前記第１演算部から前記第１出力映像信号及び第２出力映像信号を交互に選択して出力するマルチプレクサ
を有することを特徴とする請求項１７に記載の表示装置の駆動装置。
【請求項１９】
前記境界検出部は、
前記画素間の階調差の程度を演算する第２演算部、及び
前記第２演算部から階調差の程度に対する情報を受けて前記境界変数を算出するスケール調整部
を含むことを特徴とする請求項１８に記載の表示装置の駆動装置。
【請求項２０】
各画素の直前映像信号及び現在映像信号を読み取る段階、
前記直前映像信号に基づいて現在映像信号を補正して第１予備補正信号を算出する段階、
前記入力映像信号または前記第１予備補正信号に基づいて第２予備補正信号の上位信号及び下位信号を決定する段階、
前記現在映像信号に基づいて前記各画素が映像の境界地域にあるか否かを判断する段階、
映像の境界地域にない画素に対しては、前記第１予備補正信号を第１出力映像信号及び第２出力映像信号として２回出力する段階、及び
映像の境界地域にある画素に対しては、前記第１予備補正信号、前記第２予備補正信号の上位信号、前記第２予備補正信号の下位信号、及び前記境界変数によって第１出力映像信号及び第２出力映像信号を生成して交互に出力する段階
を有し、
前記出力映像信号のフレーム周波数は、前記現在映像信号のフレーム周波数より大きいことを特徴とする表示装置の映像信号の補正方法。
【請求項２１】
前記出力映像信号のフレーム周波数は、前記現在映像信号のフレーム周波数の２倍であることを特徴とする請求項２０に記載の表示装置の映像信号の補正方法。
【請求項２２】
前記第２予備補正信号の上位信号は前記第１予備補正信号より大きく、前記第２予備補正信号の下位信号は前記第１予備補正信号より小さく、
前記第２予備補正信号の上位信号及び下位信号による前記画素の光量の合計は、前記第１予備補正信号による光量と実質的に同一であることを特徴とする請求項２０に記載の表示装置の映像信号の補正方法。
【請求項２３】
前記下位信号の階調は、０であることを特徴とする請求項２０に記載の表示装置の映像信号の補正方法。
【請求項２４】
前記入力映像信号が直前フレームの入力映像信号より所定値以上大きい場合、前記第１予備補正信号は前記入力映像信号より大きいことを特徴とする請求項２０に記載の表示装置の映像信号の補正方法。
【請求項２５】
前記第１出力映像信号は、前記第２出力映像信号より大きいことを特徴とする請求項２０に記載の表示装置の映像信号の補正方法。
【請求項２６】
前記入力映像信号ＩＮから変換された前記第１出力映像信号Ａ（ＧＮ）と前記第２出力映像信号Ｂ（ＧＮ）は、
ＡＮ＝ＩＮ’＋αＮ（ＨＮ−ＩＮ’）
ＢＮ＝ＩＮ’＋αＮ（ＬＮ−ＩＮ’）
[但し、ＩＮ’は前記第１予備補正信号であり、αＮは境界変数であり、ＨＮ及びＬＮは各々前記第２予備補正信号の上位信号及び下位信号である。]
を満たすことを特徴とする請求項２０に記載の表示装置の映像信号の補正方法。
【発明の詳細な説明】
【技術分野】
【０００１】
本発明は、表示装置の駆動装置及びその映像信号の補正方法に関する。
【背景技術】
【０００２】
液晶表示装置は、現在、最も広く用いられている平板表示装置のうちの一つであって、画素電極と共通電極など電場生成電極が形成されている２枚の表示板と、その間に挿入されている液晶層とからなり、電場生成電極に電圧を印加して液晶層に電場を生成し、これを通じて液晶層の液晶分子の配向を決定し、入射光の偏光を制御することによって映像を表示する。
【０００３】
液晶表示装置は、また、各画素電極に接続されているスイッチング素子、及びスイッチング素子を制御して画素電極に電圧を印加するためのゲート線とデータ線など複数の信号線を含む。
このような液晶表示装置は、コンピュータの表示装置だけでなく、テレビなどの表示画面としても広く用いられていることによって、動映像を表示する必要が高まっている。しかし、液晶表示装置は、液晶の応答速度が遅いため、動画像を表示することが難しい。
【０００４】
つまり、液晶分子の応答速度が遅いため、液晶キャパシタに充電される電圧が目標電圧、つまり、所望の輝度を得ることのできる電圧まで到達するには所定の時間がかかり、この時間は液晶キャパシタに直前に充電されていた電圧との差によって変わる。したがって、例えば、目標電圧と直前電圧との差が大きい場合、最初から目標電圧のみを印加すれば、スイッチング素子がターンオンされている時間の間に目標電圧に到達できないことがある。
【０００５】
一方、このような液晶表示装置、特に垂直電界を用いる液晶表示装置の場合、視野角によって液晶の光学位相遅延（ｏｐｔｉｃａｌ  ｐｈａｓｅ  ｒｅｔａｒｄａｔｉｏｎ）が変わって、正面における光透過率特性が側面における光透過率特性と異なるので、正面における視認性特性と側面における視認性特性が異なるようになる。
例えば、液晶表示装置において、各階調別に光の透過率を測定してみれば、低い階調のときには側面に行くほど光透過率が増加する反面、高い階調のときには側面に行くほど光透過率が減少する。このように、視野角による光透過率の差によって側面に行くほど各階調間の透過率の差が減少して視認性が悪くなる。
【０００６】
側面における視認性の減少を減らすための方案として、一つの画素を二つの副画素に分割し、一つの副画素には正常電圧を印加し、他の副画素にはそれより小さい電圧を印加するか、または大きい電圧を印加して、液晶キャパシタに充電される電圧を相異なるようにすることで、視認性を向上させる方法が提示された。
しかし、一つの副画素を二つの副画素に分割する方法は、各階調に合う電圧を正確に決めることが困難であるため、視認性の改善に限界がある。
【特許文献１】特開2005-164937号公報
【発明の開示】
【発明が解決しようとする課題】
【０００７】
本発明が目的とする技術的課題は、液晶表示装置の画質を向上させることである。
【課題を解決するための手段】
【０００８】
本発明１による表示装置の駆動装置は、複数の画素を含む表示装置の駆動装置であって、前記画素に対応する映像信号を第１出力映像信号及び第２出力映像信号に変換する補正部、隣接した画素に対応する前記映像信号の差を利用して前記画素が映像の境界地域に存在するか否かによる信号を出力する境界検出部、及び前記境界検出部の出力信号に基づいて前記第１出力映像信号の変換信号及び第２出力映像信号の変換信号を形成する第１演算部を有する。
【０００９】
映像信号から第１出力映像信号及び第２出力映像信号を生成し、例えば１フレームを２つのフィールドに分けて第１及び第２出力映像信号を印加することで、液晶キャパシタに充電される電圧を変化させて側面視認性を改善することができるとともに、例えば焼き付きや，フリッカーなどを防ぐことができるというインパルス駆動の効果を得ることができる。
【００１０】
第１出力映像信号及び第２出力映像信号を、境界検出部の出力信号に基づいて変化させることで、画面の境界がない場合には、フリッカー現象を抑制しつつ液晶の応答速度を速くし、画面の境界がある場合には、ブラーリング現象を抑制しつつ液晶の応答速度を早くすることができる。なお、ブラーリング現象とは、液晶分子の動作速度が遅いために、画面の境界部分がシャープにならずぼけて表示されることを意味する。
【００１１】
発明２は、発明１において、前記画素が映像の境界地域に位置しない場合、前記第１出力映像信号の変換信号と前記第２出力映像信号の変換信号は、前記映像信号または前記第１補正信号と同一であり得る。
画面の境界がない場合には、フリッカー現象を抑制することができる。
本発明３による表示装置の駆動装置は、複数の画素を含む表示装置の駆動装置であって、前記画素に対応する映像信号を直前フレームの映像信号との差によって第１補正信号に変換する第１補正部、前記画素に対応する前記第１補正信号を第１出力映像信号及び第２出力映像信号に変換する第２補正部、隣接した画素に対応する前記映像信号の差を利用して、前記画素が映像の境界地域に存在するか否かによる信号を出力する境界検出部、及び前記境界検出部の出力信号に基づいて前記第１出力映像信号の変換信号及び第２出力映像信号の変換信号を形成する第１演算部を有する。
【００１２】
互いに隣接するフレームの映像信号の差に基づいて第１補正信号を生成する。そして、その第１補正信号に基づいて電圧を印加することで、目標電圧への到達を早くして液晶の応答速度を速めることができる。
また、第１補正信号から第１出力映像信号及び第２出力映像信号を生成し、例えば１フレームを２つのフィールドに分けて第１及び第２出力映像信号を印加することで、液晶キャパシタに充電される電圧を変化させて側面視認性を改善することができるとともに、例えば焼き付きや，フリッカーなどを防ぐことができるというインパルス駆動の効果を得ることができる。
【００１３】
第１出力映像信号及び第２出力映像信号を、境界検出部の出力信号に基づいて変化させることで、画面の境界がない場合には、フリッカー現象を抑制しつつ液晶の応答速度を速くし、画面の境界がある場合には、ブラーリング現象を抑制しつつ液晶の応答速度を早くすることができる。
発明４は、発明３において、前記画素が映像の境界地域に位置しない場合、前記第１出力映像信号の変換信号と前記第２出力映像信号の変換信号は、前記映像信号または前記第１補正信号と同一であり得る。
【００１４】
画面の境界がない場合には、フリッカー現象を抑制することができる。
本発明５による表示装置の駆動装置は、複数の画素を含む表示装置の駆動装置であって、前記画素に対応する映像信号を直前フレームの映像信号との差によって第１補正信号に変換する第１補正部、前記画素に対応する映像信号及び前記直前フレームの映像信号を利用して、前記映像信号を第１出力映像信号及び第２出力映像信号に変換する第２補正部、隣接した画素に対応する前記映像信号の差を利用して、前記画素が映像の境界地域に存在するか否かによる信号を出力する境界検出部、及び前記境界検出部の出力信号に基づいて前記第１出力映像信号の変換信号及び第２出力映像信号の変換信号を形成する第１演算部を有する。
【００１５】
互いに隣接するフレームの映像信号の差に基づいて第１補正信号を生成する。そして、その第１補正信号に基づいて電圧を印加することで、目標電圧への到達を早くして液晶の応答速度を速めることができる。
また、映像信号から第１出力映像信号及び第２出力映像信号を生成し、例えば１フレームを２つのフィールドに分けて第１及び第２出力映像信号を印加することで、液晶キャパシタに充電される電圧を変化させて側面視認性を改善することができるとともに、例えば焼き付きや，フリッカーなどを防ぐことができるというインパルス駆動の効果を得ることができる。
【００１６】
第１出力映像信号及び第２出力映像信号を、境界検出部の出力信号に基づいて変化させることで、画面の境界がない場合には、フリッカー現象を抑制しつつ液晶の応答速度を速くし、画面の境界がある場合には、ブラーリング現象を抑制しつつ液晶の応答速度を早くすることができる。
発明６は、発明５において、前記画素が映像の境界地域に位置しない場合、前記第１出力映像信号の変換信号と前記第２出力映像信号の変換信号は、前記映像信号または前記第１補正信号と同一であり得る。
【００１７】
画面の境界がない場合には、フリッカー現象を抑制することができる。
前記境界検出部は、前記画素間の階調差の程度を演算する第２演算部、及び前記第２演算部から前記階調差の程度に対する情報を受けて境界変数を算出するスケール調整部を有することができる。
前記第１出力映像信号の変換信号及び前記第２出力映像信号の変換信号のうちのいずれか一つを交互に選択して出力するマルチプレクサさらに有することができる。
【００１８】
前記第１出力映像信号の変換信号は、前記第２出力映像信号の変換信号より大きくてもよい。
本発明７による表示装置の駆動装置は、第１周波数で入力された、各画素に対する入力映像信号を第１出力映像信号及び第２出力映像信号に変換し、第１出力映像信号及び第２出力映像信号を交互に前記第１周波数より大きい第２周波数で出力する信号制御部、及び前記第１出力映像信号及び第２出力映像信号をアナログデータ電圧に変換して前記画素に交互に印加するデータ駆動部を有し、前記第１出力映像信号及び第２出力映像信号には前記画素間の前記入力映像信号の差を利用して算出された映像の境界（ｅｄｇｅ）検出値が反映されており、前記第１出力映像信号及び第２出力映像信号は直前フレームの入力映像信号と比較して決定される。
【００１９】
発明８は、発明７において、前記第２周波数は、前記第１周波数の２倍であることを特徴とする。
発明９は、発明７において、前記画素が映像の境界地域に位置した場合、前記第１出力映像信号は前記第２出力映像信号と異なり、前記画素が映像の境界地域に位置しない場合、前記第１出力映像信号と前記第２出力映像信号とが同一であり得る。
【００２０】
発明１０は、発明９において、前記第１出力映像信号は、前記第２出力映像信号より大きくてもよい。
発明１１は、発明１０において、前記信号制御部は、前記入力映像信号を直前フレームの入力映像信号と比較して第１予備補正信号に変換し、前記入力映像信号を上位信号と下位信号とを含む第２予備補正信号に補正したり、前記第１予備補正信号を上位信号と下位信号とを含む第３予備補正信号に変換したりし、前記第１予備補正信号及び第２予備補正信号または前記第１予備信号及び第３予備信号に映像の境界検出結果を反映して前記第１出力信号及び第２出力信号を生成することができる。
【００２１】
発明１２は、発明１１において、前記下位信号の階調は０であり得る。
発明１３は、発明１１において、前記入力映像信号が直前フレームの入力映像信号より所定値以上大きい場合、前記第１予備補正信号は前記入力映像信号より大きくてもよい。
発明１４は、発明１１において、前記第２予備信号の下位信号は、前記第３予備信号の下位信号より低いことがある。
【００２２】
発明１５は、発明１１において、前記第３予備信号の前記上位信号と前記下位信号による前記画素の光量の合計は、前記第１予備補正信号による前記画素の光量の合計と同一であり得る。
発明１６は、発明１１において、前記入力映像信号ＩＮから変換された前記第１出力映像信号ＡＮと前記第２出力映像信号ＢＮは、ＡＮ＝ＩＮ’＋αＮ（ＨＮ−ＩＮ’）ＢＮ＝ＩＮ’＋αＮ（ＬＮ−ＩＮ’）[但し、ＩＮ’は前記第１予備補正信号であり、αＮは境界変数であり、ＨＮ及びＬＮは各々前記第２または第３予備補正信号の上位信号及び下位信号である。]を満たすことができる。
【００２３】
発明１７は、発明１６において、前記信号制御部は、前記入力映像信号をフレーム単位で記憶するフレームメモリ、前記入力映像信号を行単位で記憶する行メモリ、及び前記フレームメモリ及び前記行メモリから前記入力映像信号を受けて前記第１出力映像信号及び第２出力映像信号を生成する映像信号補正部を有することができる。
発明１８は、発明１７において、前記映像信号補正部は、直前フレームの入力映像信号に基づいて前記入力映像信号を前記第１予備補正信号に変換する第１予備補正部、前記入力映像信号または前記第１予備補正信号を前記第２予備補正信号に変換する第２予備補正部、前記入力映像信号に基づいて境界変数を検出する境界検出部、前記第１予備補正信号、前記第２予備補正信号の上位信号、前記第２予備補正信号の下位信号、及び前記境界変数に基づいて前記第１出力映像信号及び第２出力映像信号を演算する第１演算部、及び前記第１演算部から前記第１出力映像信号及び第２出力映像信号を交互に選択して出力するマルチプレクサを含むことができる。
【００２４】
発明１９は、発明１８において、前記境界検出部は、前記画素間の階調差の程度を演算する第２演算部、及び前記第２演算部から階調差の程度に対する情報を受けて前記境界変数を算出するスケール調整部を有することができる。
本発明２０による表示装置の映像信号の補正方法は、各画素の直前映像信号及び現在映像信号を読み取る段階、前記直前映像信号に基づいて現在映像信号を補正して第１予備補正信号を算出する段階、前記入力映像信号または前記第１予備補正信号に基づいて第２予備補正信号の上位信号及び下位信号を決定する段階、前記現在映像信号に基づいて前記各画素が映像の境界地域にあるか否かを判断する段階、映像の境界地域にない画素に対しては、前記第１予備補正信号を第１出力映像信号及び第２出力映像信号として２回出力する段階、及び映像の境界地域にある画素に対しては、前記第１予備補正信号、前記第２予備補正信号の上位信号、前記第２予備補正信号の下位信号、及び前記境界変数によって第１出力映像信号及び第２出力映像信号を生成して交互に出力する段階を有し、前記出力映像信号のフレーム周波数は前記現在映像信号のフレーム周波数より大きい。
【００２５】
発明２１は、発明２０において、前記出力映像信号のフレーム周波数は、前記現在映像信号のフレーム周波数の２倍であり得る。
発明２２は、発明２０において、前記第２予備補正信号の上位信号は前記第１予備補正信号より大きく、前記第２予備補正信号の下位信号は前記第１予備補正信号より小さく、前記第２予備補正信号の上位信号及び下位信号による前記画素の光量の合計は、前記第１予備補正信号による光量と実質的に同一であり得る。
【００２６】
発明２３は、発明２０において、前記下位信号の階調は、０であり得る。
発明２４は、発明２０において、前記入力映像信号が直前フレームの入力映像信号より所定値以上大きい場合、前記第１予備補正信号は前記入力映像信号より大きくてもよい。
発明２５は、発明２０において、前記第１出力映像信号は、前記第２出力映像信号より大きくてもよい。
【００２７】
発明２６は、発明２０において、前記入力映像信号ＩＮから変換された前記第１出力映像信号ＡＧＮと前記第２出力映像信号ＢＧＮは、ＡＮ＝ＩＮ’＋αＮ（ＨＮ−ＩＮ’）、ＢＮ＝ＩＮ’＋αＮ（ＬＮ−ＩＮ’）[但し、ＩＮ’は前記第１予備補正信号であり、αＮは境界変数であり、ＨＮ及びＬＮは各々前記第２予備補正信号の上位信号及び下位信号である。]を満たすことができる。
【発明の効果】
【００２８】
本発明によれば、液晶表示装置の画質を向上させる。
【発明を実施するための最良の形態】
【００２９】
添付した図面を参照して、本発明の実施形態について本発明の属する技術分野における通常の知識を有する者が容易に実施できるように詳細に説明する。しかし、本発明は多様な相異な形態で実現でき、ここに説明する実施形態に限定されない。
図面において、種々の層及び領域を明確に表現するために厚さを拡大して示した。明細書の全体にわたって類似する部分については同一の図面符号を付けた。層、膜、領域、板などの部分が他の部分の“上”にあるとするとき、これは他の部分の“すぐ上”にある場合だけでなく、その中間に他の部分がある場合も含む。逆に、ある部分が他の部分の“すぐ上”にあるとするときには、中間に他の部分がないことを意味する。
【００３０】
次に、本発明の表示装置の駆動装置及びその映像信号の補正方法について、図１及び図２を参照して詳細に説明する。
図１は、本発明の一実施形態による液晶表示装置のブロック図であり、図２は、本発明の一実施形態による液晶表示装置における一つの画素の等価回路図である。
図１を参照すれば、本発明の一実施形態による液晶表示装置は、液晶表示板組立体（ｌｉｑｕｉｄ  ｃｒｙｓｔａｌ  ｐａｎｅｌ  ａｓｓｅｍｂｌｙ）３００、ゲート駆動部４００、データ駆動部５００、階調電圧生成部８００、及び信号制御部６００を有する。
【００３１】
液晶表示板組立体３００は、等価回路から見れば、複数の信号線Ｇ１〜Ｇｎ、Ｄ１〜Ｄｍと、これに接続され、ほぼ行列状に配列された複数の画素ＰＸとを含む。反面、図２に示す構造から見れば、液晶表示板組立体３００は、互いに対向する下部表示板１００及び上部表示板２００と、その間に入っている液晶層３とを含む。
信号線Ｇ１〜Ｇｎ、Ｄ１〜Ｄｍは、ゲート信号（“走査信号”ともいう）を伝達する複数のゲート線Ｇ１〜Ｇｎと、データ電圧を伝達する複数のデータ線Ｄ１〜Ｄｍとを含む。ゲート線Ｇ１〜Ｇｎはほぼ行方向にのび、互いにほとんど平行し、データ線Ｄ１〜Ｄｍはほぼ列方向にのび、互いにほとんど平行する。
【００３２】
各画素ＰＸ、例えば、ｉ番目（ｉ＝１、２、…、ｎ）ゲート線Ｇｉと、ｊ番目（ｊ＝１、２、…、ｍ）データ線Ｄｊとに接続された画素ＰＸは、信号線Ｇｉ、Ｄｊに接続されたスイッチング素子Ｑと、これに接続された液晶キャパシタ（ｌｉｑｕｉｄ  ｃｒｙｓｔａｌ  ｃａｐａｃｉｔｏｒ）Ｃｌｃと、ストレージキャパシタ（ｓｔｏｒａｇｅ  ｃａｐａｃｉｔｏｒ）Ｃｓｔとを含む。ストレージキャパシタＣｓｔは必要に応じて省略できる。
【００３３】
スイッチング素子Ｑは、下部表示板１００に備えられている薄膜トランジスタなどの三端子素子であって、その制御端子はゲート線Ｇｉと接続されており、入力端子はデータ線Ｄｊと接続されており、出力端子は液晶キャパシタＣｌｃ及びストレージキャパシタＣｓｔと接続されている。
液晶キャパシタＣｌｃは、下部表示板１００の画素電極１９１と上部表示板２００の共通電極２７０とを二つの端子とし、二つの電極１９１、２７０の間の液晶層３は誘電体として機能する。画素電極１９１はスイッチング素子Ｑと接続され、共通電極２７０は上部表示板２００の全面に形成され、共通電圧Ｖｃｏｍの印加を受ける。図２とは異なって、共通電極２７０が下部表示板１００に備えられる場合もあり、この時には、二つの電極１９１、２７０のうちの少なくとも一つを線状または棒状に作ることができる。
【００３４】
液晶キャパシタＣｌｃの補助的な役割を果たすストレージキャパシタＣｓｔは、下部表示板１００に具備された別個の信号線（図示せず）と画素電極１９１とが絶縁体を間に置いて重畳してなり、この別個の信号線には共通電圧Ｖｃｏｍなどの決められた電圧が印加される。しかし、ストレージキャパシタＣｓｔは、画素電極１９１が絶縁体を媒介としてすぐ上の前段ゲート線Ｇｉ〜１と重畳して形成できる。
【００３５】
一方、色表示を実現するためには、各画素ＰＸが基本色（ｐｒｉｍａｒｙ  ｃｏｌｏｒ）のうちの一つを固有に表示したり（空間分割）、各画素（ＰＸ）が時間によって交互に基本色を表示するように（時間分割）したりして、これら基本色の空間的、時間的な合計によって所望の色相が認識されるようにする。基本色の例としては、赤色、緑色、青色など三原色がある。図２は、空間分割の一例として、各画素ＰＸが画素電極１９１に対応する上部表示板２００の領域に基本色のうちの一つを示すカラーフィルタ２３０を備えることを示している。図２とは異なって、カラーフィルタ２３０は下部表示板１００の画素電極１９１上または下に設けてもよい。
【００３６】
液晶表示板組立体３００には少なくとも一つの偏光子（図示せず）が備えられている。
再び図１を参照すれば、階調電圧生成部８００は、画素ＰＸの透過率に関連する全体階調電圧または限定された数の階調電圧（以下、“基準階調電圧”という）を生成する。（基準）階調電圧は、共通電圧Ｖｃｏｍに対して正の値を有するものと、負の値を有するものとを含むことができる。
【００３７】
ゲート駆動部４００は、液晶表示板組立体３００のゲート線Ｇ１〜Ｇｎと接続され、ゲートオン電圧Ｖｏｎとゲートオフ電圧Ｖｏｆｆとの組み合わせからなるゲート信号をゲート線Ｇ１〜Ｇｎに印加する。
データ駆動部５００は、液晶表示板組立体３００のデータ線Ｄ１〜Ｄｍと接続されており、階調電圧生成部８００からの階調電圧を選択し、これをデータ電圧としてデータ線Ｄ１〜Ｄｍに印加する。しかし、階調電圧生成部８００が階調電圧を全て提供することではなく、限定された数の基準階調電圧のみを提供する場合に、データ駆動部５００は基準階調電圧を分圧して所望のデータ電圧を選択する。
【００３８】
信号制御部６００は、ゲート駆動部４００及びデータ駆動部５００などを制御する。
このような駆動装置４００、５００、６００、８００各々は、少なくとも一つの集積回路チップの形態で液晶表示板組立体３００上に直接装着されてもよく、フレキシブル印刷回路膜（ｆｌｅｘｉｂｌｅ  ｐｒｉｎｔｅｄ  ｃｉｒｃｕｉｔ  ｆｉｌｍ）（図示せず）上に装着されてＴＣＰ（ｔａｐｅ  ｃａｒｒｉｅｒ  ｐａｃｋａｇｅ）の形態で液晶表示板組立体３００に付着されてもよく、別途の印刷回路基板（ｐｒｉｎｔｅｄ  ｃｉｒｃｕｉｔ  ｂｏａｒｄ）（図示せず）上に装着されてもよい。これとは異なって、これら駆動装置４００、５００、６００、８００が、信号線Ｇ１〜Ｇｎ、Ｄ１〜Ｄｍ及び薄膜トランジスタスイッチング素子Ｑなどと共に液晶表示板組立体３００に集積されることもできる。また、駆動装置４００、５００、６００、８００は単一チップで集積でき、この場合、これらのうちの少なくとも一つまたはこれらをなす少なくとも一つの回路素子が単一チップの外側にあり得る。
【００３９】
以下、このような液晶表示装置の動作について詳細に説明する。
信号制御部６００は、外部のグラフィック制御機（図示せず）から入力映像信号Ｒ、Ｇ、Ｂ及びその表示を制御する入力制御信号を受信する。入力映像信号Ｒ、Ｇ、Ｂは、各画素ＰＸの輝度（ｌｕｍｉｎａｎｃｅ）情報を含んでおり、輝度は決められた数、例えば、１０２４（＝２１０）、２５６（＝２８）または６４（＝２６）個の階調（ｇｒａｙ）を有している。入力制御信号の例としては、垂直同期信号ＶｓｙＮｃ、水平同期信号ＨｓｙＮｃ、メインクロックＭＣＬＫ、及びデータイネーブル信号ＤＥなどがある。
【００４０】
信号制御部６００は、入力映像信号Ｒ、Ｇ、Ｂと入力制御信号に基づいて入力映像信号Ｒ、Ｇ、Ｂを液晶表示板組立体３００の動作条件に合うように適切に処理し、ゲート制御信号ＣＯＮＴ１及びデータ制御信号ＣＯＮＴ２などを生成した後、ゲート制御信号ＣＯＮＴ１をゲート駆動部４００に送信し、データ制御信号ＣＯＮＴ２と処理した映像信号ＤＡＴをデータ駆動部５００に送信する。
【００４１】
ゲート制御信号ＣＯＮＴ１は、走査の開始を指示する走査開始信号ＳＴＶと、ゲートオン電圧Ｖｏｎの出力周期を制御する少なくとも一つのクロック信号とを含む。ゲート制御信号ＣＯＮＴ１は、また、ゲートオン電圧Ｖｏｎの持続時間を限定する出力イネーブル信号ＯＥをさらに含むことができる。
データ制御信号ＣＯＮＴ２は、一つの行の画素ＰＸに対するデジタル映像信号の伝送開始を知らせる水平同期開始信号ＳＴＨと、データ線Ｄ１〜Ｄｍにアナログデータ電圧の印加を指示するロード信号ＬＯＡＤと、データクロック信号ＨＣＬＫとを含む。データ制御信号ＣＯＮＴ２は、また、共通電圧Ｖｃｏｍに対するデータ電圧の極性（以下、“共通電圧に対するデータ電圧の極性”を略して“データ電圧の極性”という）を反転させる反転信号ＲＶＳをさらに含むことができる。
【００４２】
信号制御部６００からのデータ制御信号ＣＯＮＴ２により、データ駆動部５００は一つの行の画素ＰＸに対するデジタル映像信号ＤＡＴを受信し、各デジタル映像信号ＤＡＴに対応する階調電圧を選択することによって、デジタル映像信号ＤＡＴをアナログデータ電圧に変換した後、これを対応するデータ線Ｄ１〜Ｄｍに印加する。
ゲート駆動部４００は、信号制御部６００からのゲート制御信号ＣＯＮＴ１によってゲートオン電圧Ｖｏｎをゲート線Ｇ１〜Ｇｎに印加し、このゲート線Ｇ１〜Ｇｎに接続されたスイッチング素子Ｑを導通させる。そうすると、データ線Ｄ１〜Ｄｍに印加されたデータ電圧が、導通したスイッチング素子Ｑを通じて対応する画素ＰＸに印加される。
【００４３】
画素ＰＸに印加されたデータ電圧と共通電圧Ｖｃｏｍとの差は、液晶キャパシタＣｌｃの充電電圧、つまり、画素電圧として現れる。液晶分子は、画素電圧の大きさによってその配列を別にし、これによって液晶層３を通過する光の偏光が変化する。このような偏光の変化は、表示板組立体３００に付着された偏光子によって光の透過率の変化として現れ、これによって画素ＰＸは、映像信号ＤＡＴの階調が示す輝度を表示する。
【００４４】
１水平周期（“１Ｈ”とも記し、水平同期信号Ｈｓｙｎｃ及びデータイネーブル信号ＤＥの一周期と同一である）を単位としてこのような過程を繰り返すことにより、全てのゲート線Ｇ１〜Ｇｎに対して順次にゲートオン電圧Ｖｏｎを印加し、全ての画素ＰＸにデータ電圧を印加して１フレーム（ｆｒａｍｅ）の映像を表示する。
１フレームが終了すれば、次のフレームが開始し、各画素ＰＸに印加されるデータ電圧の極性が直前フレームにおける極性と反対になるようにデータ駆動部５００に印加される反転信号ＲＶＳの状態が制御される（“フレーム反転”）。このとき、１フレーム内でも反転信号ＲＶＳの特性によって、一つのデータ線を通じて流れるデータ電圧の極性が変わったり（例：行反転、点反転）、一つの画素行に印加されるデータ電圧の極性も互いに異なったりすることがある（例：列反転、点反転）。
【００４５】
次に、図３を参照して、本発明の一実施形態による信号制御部について詳細に説明する。
図３は、本発明の一実施形態による信号制御部のブロック図である。
図３を参照すれば、本実施形態による信号制御部６００は、フレームメモリ（ＦＭ）６１０、行メモリ（ＬＭ）６１１、及び映像信号補正部６２０を含む。
【００４６】
フレームメモリ６１０は、入力される映像信号を１フレームの単位で記憶する。
行メモリ６１１は、入力される入力映像信号を複数行の単位で記憶する。
映像信号補正部６２０は、フレームメモリ６１０及び行メモリ６１１から互いに異なるフレーム（Ｎ番目フレームと（Ｎ−１）番目フレーム）に属する一つの画素ＰＸに対する映像信号ＩＮ、ＩＮ−１を受け、映像信号ＩＮを第１予備補正信号ＩＮ’に変換し、第１予備補正信号ＩＮ’を一対の第２予備補正信号ＨＮ、ＬＮに変換し、境界変数αＮを算出し、これに基づいて第１出力映像信号ＡＮと第２出力映像信号ＢＮを生成し、第１出力映像信号ＡＮ及び第２出力映像信号ＢＮを出力映像信号ＩＮ’’として交互に出力する。このとき、第１予備補正信号ＩＮ’は、画素ＰＸに印加されるデータ電圧が目標データ電圧より大きいかまたは小さくなるようにするＤＣＣ（ｄｙｎａｍｉｃ  ｃａｐａｃｉｔａｎｃｅ  ｃｏｍｐｅｎｓａｔｉｏｎ）補正によって生成され、一対の第２予備補正信号ＨＮ、ＬＮは一つの画素ＰＸに連続して印加する大きさの互いに異なるデータ電圧に対応し、境界変数αＮは表現する映像で境界（ｅｄｇｅ）の有無判断によって生成される。
【００４７】
このような映像信号補正部６２０は、第１予備補正信号ＩＮ’を生成する第１予備補正部６３０、第２予備補正信号ＨＮ、ＬＮを生成する第２予備補正部６４０、境界変数αＮを生成する境界検出部６５０、演算部６６０、及びマルチプレクサ６７０を含む。
第１予備補正部６３０は、行メモリ６１１から受けた映像信号ＩＮと、フレームメモリ６１０から受けた映像信号ＩＮ−１に基づいて、第１予備補正信号ＩＮ’を生成する。この時、フレームメモリ６１０から受けた映像信号ＩＮ−１は、行メモリ６１１から受けた映像信号ＩＮを基準として直前フレームの映像信号である。したがって、以下、行メモリ６１１から受けた映像信号ＩＮを“現在映像信号（ｃｕｒｒｅｎｔ  ｉｍａｇｅ  ｓｉｇｎａｌ）”といい、フレームメモリ６１０から受けた映像信号ＩＮ−１を“直前映像信号（ｐｒｅｖｉｏｕｓ  ｉｍａｇｅ  ｓｉｇｎａｌ）”という。
【００４８】
以下、図４を参照して、第１予備補正信号ＩＮ’の生成原理について詳細に説明する。
液晶キャパシタＣｌｃの両端に電圧を印加すると、液晶層３の液晶分子はその電圧に対応する安定した状態で再配列しようとするが、液晶分子の応答速度が遅いため、安定した状態に至るまでは所定の時間がかかる。液晶キャパシタＣｌｃに印加される電圧を引続き維持していれば、液晶分子は安定した状態に至るまで引続き動き、その間に光透過率も変化する。液晶分子が安定した状態に至ってそれ以上動かないと、光透過率も一定になる。
【００４９】
このように安定した状態での画素電圧を“目標画素電圧”とし、このときの光透過率を“目標光透過率”とすれば、目標画素電圧と目標光透過率とは一対一の対応関係にある。
しかし、各画素ＰＸのスイッチング素子Ｑをターンオンさせてデータ電圧を印加する時間が制限されているため、データ電圧を印加する間に液晶分子が安定した状態に至ることは困難である。ところが、スイッチング素子Ｑがターンオフされても液晶キャパシタＣｌｃの両端の電圧差は依然として存在し、そのため液晶分子が安定した状態に向かって引続き動く。このように液晶分子の配列状態が変わると、液晶層３の誘電率が変わり、そのため液晶キャパシタＣｌｃの静電容量が変化する。スイッチング素子Ｑがターンオフされた状態では、液晶キャパシタＣｌｃの一端子が浮遊（ｆｌｏａｔｉｎｇ）状態にあるので、漏洩電流を考慮しないならば液晶キャパシタＣｌｃに保存された総電荷は変化せずに一定である。したがって、液晶キャパシタＣｌｃの静電容量の変化は、液晶キャパシタＣｌｃの両端の電圧、つまり、画素電圧の変化を招く。
【００５０】
したがって、安定した状態を基準とした目標画素電圧に対応するデータ電圧（以下、“目標データ電圧”いう）をそのまま画素ＰＸに印加すると、実際に画素ＰＸに印加される画素電圧（以下、“実際画素電圧”いう）は目標画素電圧とは異なるはずであり、そのため目標透過率が得られない。特に、目標透過率がその画素ＰＸが当初に有していた透過率と差がある場合には、実際画素電圧と目標画素電圧との差はさらに著しくなる。
【００５１】
したがって、画素ＰＸに印加するデータ電圧を目標データ電圧より大きいかまたは小さくする必要があり、その方法のうちの一つが前述したＤＣＣである。
本実施形態において、ＤＣＣは信号制御部６００で行われ、任意の画素ＰＸに対する現在映像信号ＩＮを、その画素ＰＸに対する直前フレームの映像信号である直前映像信号ＩＮ−１に基づいて補正して、補正された第１予備補正信号ＩＮ’を生成する。第１予備補正信号ＩＮ’は、基本的に実験結果によって決定され、第１予備補正信号ＩＮ’と直前映像信号ＩＮ−１との差は、補正前の現在映像信号ＩＮと直前映像信号ＩＮ−１との差より大体大きい。しかし、現在映像信号ＩＮと直前映像信号ＩＮ−１が同一であるか、または両者の差が小さいときには、第１予備補正信号ＩＮ’が同一であり得る。（つまり、補正しなくてもよい）。
【００５２】
以下、第１予備補正信号ＩＮ’は、次の式（１）のような関数Ｆ１で示すことができる。
ＩＮ’＝Ｆ１（ＩＮ、ＩＮ−１）  ・・・(１)
このようにすると、データ駆動部５００から各画素ＰＸに印加するデータ電圧は、目標データ電圧より高いか、または低い電圧になる。
【００５３】
第１予備補正信号ＩＮ’を求めるために、第１予備補正部６３０はルックアップテーブル（図示せず）を含むことができる。ルックアップテーブルには、現在映像信号ＩＮ及び直前映像信号ＩＮ−１の対に対して第１予備補正信号ＩＮ’が記憶されている。
ところが、現在映像信号ＩＮ及び直前映像信号ＩＮ−１の全ての対に対して第１予備補正信号ＩＮ’を記憶しておこうとすれば、ルックアップテーブルの大きさが非常に大きくなってしまう可能性がある。そこで、いくつかの直前映像信号ＩＮ−１及び現在映像信号ＩＮの対に対してのみ第１予備補正信号ＩＮ’を基準補正映像信号として記憶しておき、その他の直前映像信号ＩＮ−１及び現在映像信号対ＩＮに対しては補間法（ｉｎｔｅｒｐｏｌａｔｉｏｎ）によって演算して第１予備補正信号ＩＮ’を求めることが好ましい。
【００５４】
図４は、階調の数が２５６個の場合、いくつかの直前映像信号ＩＮ−１及び現在映像信号ＩＮの対に対する第１予備補正信号ＩＮ’を示すルックアップテーブルの一例である。図４において、任意の一対の直前映像信号ＩＮ−１及び現在映像信号ＩＮに対する補間は、該当する映像信号対ＩＮ−１、ＩＮと近い映像信号対ＩＮ−１、ＩＮに対する基準補正映像信号を探し、その値に基づいて該当映像信号対ＩＮ−１、ＩＮに対する第１予備補正信号ＩＮ’を求めることである。
【００５５】
例えば、デジタル信号の映像信号ＩＮ−１、ＩＮを上位ビットと下位ビットに分け、ルックアップテーブルには下位ビットが０の直前映像信号ＩＮ−１と現在映像信号ＩＮの対に対する基準補正映像信号を記憶しておく。任意の直前映像信号ＩＮ−１及び現在映像信号対ＩＮに対してその上位ビットに基づき関連した基準補正映像信号をルックアップテーブルで探した後、直前映像信号ＩＮ−１及び現在映像信号ＩＮの下位ビットとルックアップテーブルで探した基準補正映像信号とを利用して第１予備補正信号ＩＮ’を算出する。
【００５６】
このような補間について、図５を参照してさらに詳細に説明する。
図５は、本発明の一実施形態による液晶表示装置において、第１予備補正信号を補間によって算出する例を説明する図面である。
入力映像信号は、ｘビットの上位ビット（ｕｐｐｅｒ  ｂｉｔｓ）と、ｙビットの下位ビット（ｌｏｗｅｒ  ｂｉｔｓ）とからなる。例えば、８ビットの映像信号の場合、上位ビットのビット数は４または３とすることができ、４の場合には１７×１７入力映像信号の対（ＩＮ−１、ＩＮそれぞれについて、０，１６，３２，４８，・・・２２４，２４０，２５６の１７個の入力）、３の場合には９×９入力映像信号の対（ＩＮ−１、ＩＮそれぞれについて、０，３２，６４，・・・２２４，２５６の９個の入力）に対する出力映像信号のみを記憶すればよい。８ビットの場合、上位ビットのビット数が４の場合に対し、図５に示すように横軸と縦軸に各々直前映像信号ＩＮ−１と現在映像信号ＩＮを配置する。
【００５７】
図５において、実線によって区画された正四角形の領域は、直前入力映像信号ＩＮ−１と現在映像信号ＩＮの上位ビットの値を基準として分れたブロックである。ブロックの境界に存在する点は、直前映像信号ＩＮ−１または現在映像信号ＩＮの下位ビットが０である点である。直前映像信号ＩＮ−１と現在映像信号ＩＮの全てに対し、各ブロックの中に存在する点の上位ビットは全て同一であり、左側辺と上側辺の上に位置する点もブロック内部の点と同一の上位ビットを有する。但し、右側辺と下側辺の上に存在する点の上位ビットは、ブロック内部の点の上位ビットと相異している。
【００５８】
このような各ブロックの頂点については出力映像信号が与えられ、これを基準データｆという。例えば、図５は、一つのブロックを定義する４つの頂点に対する出力映像信号をｆ００、ｆ０１、ｆ１０、ｆ１１に示している。頂点でない点に対する出力映像信号は、これらと下位ビットとの関数に与えられる演算によって求める。
再び図３を参照すれば、第２予備補正部６４０は、第１予備補正部６３０から第１予備補正信号ＩＮ’を受けて、それぞれの第１予備補正信号ＩＮ’を一対の第２予備補正信号ＨＮ、ＬＮに変換する。第２予備補正信号ＨＮ、ＬＮは、上位信号ＨＮ及び下位信号ＬＮからなる。
【００５９】
次に、図６乃至図８を参照して、第２予備補正部６４０について詳細に説明する。
図６は、本発明の一実施形態による液晶表示装置における第２予備補正部のブロック図であり、図７は、本発明の一実施形態による液晶表示装置において、第１予備補正信号ＩＮ−１及び第２予備補正信号ＨＮ、ＬＮのガンマ曲線を示すグラフであり、図８は、第１予備補正信号ＩＮ’の階調の数が２５６個である場合、いくつかの下位信号ＬＮ及び上位信号ＨＮの対を示すルックアップテーブルの一例である
図６を参照すれば、第２予備補正部６４０は、フレームメモリ（ＦＭ）６４１、及びこれと接続されている信号変換部６４２を含む。
【００６０】
フレームメモリ６４１は、第１予備補正部６３０から入力される第１予備補正信号ＩＮ’を記憶する。
信号変換部６４２は、フレームメモリ６４１に記憶されている第１予備補正信号ＩＮ’を順次に受け、第１予備補正信号ＩＮ’各々を上位信号ＨＮ及び下位信号ＬＮからなる第２予備補正信号ＨＮ、ＬＮに変換する。具体的に説明すれば、信号変換部６４２は、第１予備補正信号ＩＮ’を一回ずつ読み込んで上位信号ＨＮ及び下位信号ＬＮのうちのいずれか一つに変換して順次に出力した後、第１予備補正信号ＩＮ’を再び一回ずつ読み込んで上位信号ＨＮ及び下位信号ＬＮのうちの残り一つに変換して順次に出力する。
【００６１】
一方、フレームメモリ６４１に記憶されている第１予備補正信号ＩＮ’を２回ずつ読み取るため、フレームメモリ６４１の読み取り周波数（ｒｅａｄ  ｆｒｅｑｕｅｎｃｙ）（または出力周波数）ｆｒは、書き取り周波数（ｗｒｉｔｅ  ｆｒｅｑｕｅｎｃｙ）（または入力周波数）ｆｗの２倍である。そのため、フレームメモリ６４１の入力フレーム周波数ｆｗが６０Ｈｚであれば、映像信号補正部６２０の出力フィールド周波数及びデータ電圧の印加周波数も１２０Ｈｚになる。
【００６２】
図７を参照すれば、第１予備補正信号ＩＮ’、上位信号ＨＮ、及び下位信号ＬＮ各々に対応するガンマ曲線Ｔｉ、Ｔ１、Ｔ２が示されている。上位信号ＨＮ及び下位信号ＬＮ各々に対応するガンマ曲線Ｔ１、Ｔ２の平均は、第１予備補正信号ＩＮ’に対応するガンマ曲線Ｔと一致する。
これを他の方式で表現すれば、上位信号ＨＮ及び下位信号ＬＮによる画素の光量の合計が、第１予備補正信号ＩＮ’による光量と同一であるといえる。ここで、光量とは、輝度とその輝度を維持する時間をかけたものと同一である。
【００６３】
したがって、第１予備補正信号ＩＮ’に対応する輝度をＴ（ＩＮ’）とし、上位信号ＨＮに対応する輝度をＴ（ＨＮ）とし、下位信号ＬＮに対応する輝度をＴ（ＬＮ）とすれば、次の式（２）が成立する。
２Ｔ（ＩＮ’）＝Ｔ（ＨＮ）＋Ｔ（ＬＮ）  ・・・（２）
図８は、第１予備補正信号ＩＮ’の階調の数が２５６個である場合、いくつかの下位信号ＬＮ及び上位信号ＨＮの対を示すルックアップテーブルの一例である。
【００６４】
以下、図９を参照して、第１予備補正信号ＩＮ’及び第２予備補正信号ＨＮ、ＬＮがデータ駆動部５００に伝送される場合、画素に印加される電圧について詳細に説明する。
図９は、本発明の一実施形態による液晶表示装置において、第１予備補正信号及び第２予備補正信号に該当するデータ電圧を示すグラフである。
図９を参照すれば、横軸は時間をフレーム単位で示し、縦軸は絶対値で表示したデータ電圧を示す。（Ｎ−１）番目及びＮ番目フレームの入力映像信号は同一であり、初期電圧Ｖａに対応する。（Ｎ＋１）番目、（Ｎ＋２）番目、及び（Ｎ＋３）番目フレームの入力映像信号は同一であり、目標電圧Ｖｂに対応する。Ｎ番目フレームの入力映像信号と、（Ｎ＋１）番目入力映像信号とは、差が大きい。
【００６５】
第１予備補正部６３０は、Ｎ番目及び（Ｎ＋１）番目フレームにおける入力映像信号の差によって、（Ｎ＋１）番目フレームで目標電圧Ｖｂより高いデータ電圧Ｖｏを与える第１予備補正信号ＩＮ＋１’を生成する。そして、Ｎ番目、（Ｎ＋２）番目、及び（Ｎ＋３）番目フレームの入力映像信号は、その直前フレームの入力映像信号と各々同一であるので、Ｎ番目及び（Ｎ＋２）番目フレームの第１予備補正信号ＩＮ’は対応する入力映像信号と同一である。
【００６６】
したがって、第１予備補正信号ＩＮ＋１’をデータ駆動部５００に伝送してデータ電圧を生成する場合、図９で太い実線で示す通りである。
第２予備補正部６４０は、全てのフレームにおいて、第１予備補正信号ＩＮ’を上位信号ＨＮ及び下位信号ＬＮからなる第２予備補正信号ＨＮ、ＬＮに変換する。液晶表示装置は、図９において細い実線で示すように、一つのフレームを二つのフィールドに分け、二つのうちの一つのフィールド間には上位信号ＨＮに対応するデータ電圧を画素に印加し、その他の一つのフィールド間には下位信号ＬＮに対応するデータ電圧を画素に印加する。具体的に説明すれば、（Ｎ−１）番目及びＮ番目フレームにおいては、上位データ電圧Ｖａｈ及び下位データ電圧Ｖａｌが一つのフィールドずつ画素に印加される。（Ｎ＋１）番目フレームにおいては、上位データ電圧Ｖｏｈ及び下位データ電圧Ｖｏｌが一つのフィールドずつ画素に印加され、（Ｎ＋１）番目及び（Ｎ＋２）番目フレームにおいては、上位データ電圧Ｖｂｈ及び下位データ電圧Ｖｂｌが一つのフィールドずつ画素に印加される。ここで、上位データ電圧Ｖａｈ、Ｖｏｈ、Ｖｂｈは第２予備補正信号の上位信号ＨＮに該当し、下位データ電圧Ｖａｌ、Ｖｏｌ、Ｖｂｌは第２予備補正信号の下位信号ＬＮに該当する。
【００６７】
一方、下位信号ＬＮを０とするか、または０に近くすると、インパルス駆動の効果を与えることができる。
再び図３を参照すれば、境界検出部６５０は、画素の輝度差を測定することによって表示する映像の境界（ｅｄｇｅ）を検出する。詳細に説明すれば、境界検出部６５０は、行メモリ６１１から各画素とその周辺のいろいろな画素に対する映像信号ＩＮを受けて境界変数αＮを算出する。
【００６８】
次に、図１０乃至図１３Ｂを参照して、本実施形態による境界検出部６５０について詳細に説明する。
図１０は、図３に示した信号制御部のうちの境界検出部の一例を示すブロック図であり、図１１Ａ及び図１１Ｂは、各々図１０に示した境界検出部のうちのＸ方向フィルタ及びＹ方向フィルタを示す図面であり、図１２Ａ乃至図１２Ｅは、各々図１０に示した境界検出部のうちのスケール調整部の多様な例を示すグラフであり、図１３Ａは本発明の一実施形態による液晶表示装置が表示する映像の一例を示す図面であり、図１３Ｂは図１３Ａに示した液晶表示装置が表示する映像の境界を検出した結果を示す図面である。
【００６９】
まず、図１０を参照すると、本実施形態による信号制御部６００の境界検出部６５０は、フィルタ６５１、演算部６５２、及びスケール調整部６５３を含む。
フィルタ６５１は、任意の画素（以下“中心画素”という）とその周辺の階調差の程度を計算するものであって、図１１Ａ及び図１１Ｂに各々Ｘ方向フィルタ及びＹ方向フィルタの一例が示されている。図１１Ａ及び図１１Ｂに記載したフィルタ６５１は７×５の行列形態であって、小さい大きさのフィルタよりノイズに敏感でない。フィルタ６５１は、境界検出のために、１次微分方式としてロバーツ（Ｒｏｂｅｒｔｓ）、フリウィット（Ｒｒｅｗｉｔｔ）、ソベル（Ｓｏｂｅｌ）、フライチェン（Ｆｒｅｉ−Ｃｈｅｎ）演算子などを用いたり、２次微分方式としてラプルラシアン（Ｌａｐｌａｃｉａｎ）演算子などを用いたりすることができる。
【００７０】
周辺画素は、中心画素の上下左右に配置されている同一の色の画素を意味し、フィルタによって演算に参照される周辺画素の数が変わる。
演算部６５２は、行メモリ６１１から中心画素及び周辺画素の映像信号ＩＮを受けて周辺画素に対する中心画素の階調差の程度を計算し、スケール調整部６５３に出力する。演算部６５２の演算は、次の式（３）によって行われる。
【００７１】
【数１】
2008040493.tif 000003
【００７２】
ここで、μ（ｉ、ｊ）はｉ行、ｊ列の画素の階調変化指数であり、ＩＮ（ｉ＋ｋ、ｊ＋ｌ）は（ｉ＋ｋ）行、（ｊ＋ｌ）列の画素の階調であり、Ｘ（ｋ、ｌ）及びＹ（ｋ、ｌ）は、各々図１１Ａまたは図１１Ｂにおいて、ｋ番目列及びｌ番目行の値であり、−３≦ｋ≦＋３、−２≦ｌ≦＋２であり、Ｋとλは比例定数である。
【００７３】
スケール調整部６５３は、階調変化指数μ（ｉ、ｊ）を変換して各画素に対する境界変数（αＮ）（＝ｆ（μ））を算出する。スケール調整部６５３はルックアップテーブルの形態であってもよく、関数ｆの多様な例が図１２Ａ乃至図１２Ｅに示されている。
図１３Ａは表示装置映像の一例である。図１３Ａのような元来の映像を上記のような方法によって境界検出すると、図１３Ｂのように現れる。
【００７４】
再び図３を参照すれば、演算部６６０は、第１予備補正部６３０から第１予備補正信号ＩＮ’を、第２予備補正部６４０から第２予備補正信号ＨＮ、ＬＮを、境界検出部６５０から境界変数αＮを受け、これに基づいて第１出力映像信号ＡＮ及び第２出力映像信号ＢＮを算出する。このとき、第１予備補正部６３０は第１予備補正信号ＩＮ’を２回出力し、演算部６６０の演算は、次の式（４）によって行われる。
【００７５】
ＡＮ＝ＩＮ’＋αＮ（ＨＮ−ＩＮ’）
ＢＮ＝ＩＮ’＋αＮ（ＬＮ−ＩＮ’）  ・・・（４）
式（４）を参照すれば、境界変数αＮが０の場合には、第１出力映像信号ＡＮ及び第２出力映像信号ＢＮは二つとも第１予備補正信号ＩＮ’と同一である。つまり、ある画素が映像の境界地域にない場合、その映像信号についてはＤＣＣだけを適用する。したがって、この画素には一つのフレームの間にＤＣＣ補正された映像信号に該当するデータ電圧を２回印加する。このようにする理由は、境界変数αＮが０の映像において、１つのフレームを二つのフィールドに分けて異なる電圧を印加すると、フリッカー現象が起こりやすいためである。したがって、本発明によれば、境界変数αＮが０の映像において、フリッカー発生を防止して画面をさらに優秀に表現することができる。
【００７６】
反面、境界変数αＮが０より大きい場合には、第１出力映像信号ＡＮ及び第２出力映像信号ＢＮは互いに異なる値を有する。
マルチプレクサ６７０は、フィールド選択信号ＦＳを受信し、これによって第１出力映像信号ＡＮ及び第２出力映像信号ＢＮを交互に選択して最終出力映像信号ＩＮ’’として出力する。フィールド選択信号ＦＳは、１つのフレームを二つのフィールドに分けて電圧を印加するための信号である。
【００７７】
次に、図１４Ａ及び図１４Ｂを参照して、本発明の一実施形態によるデータ電圧の印加方法について詳細に説明する。
図１４Ａは、図３に示す信号制御部を含む液晶表示装置における映像信号を補正する前のデータ電圧を示す波形図であり、図１４Ｂは図３に示す信号制御部を含む液晶表示装置における映像信号を補正した後のデータ電圧を示す波形図である。
【００７８】
第１出力映像信号ＡＮと第２出力映像信号ＢＮのうちのいずれか一つは、他の一つより大きいか、または同じであるが、二つのうちの大きいものを先に出力し、小さいものを後に出力するか、またはその反対にすることができる。ノーマリーブラックモードの液晶表示装置の場合、映像信号が大きければ該当するデータ電圧も（共通電極を基準として）大きく、図１４Ｂに、このようなノーマリーブラックモードの液晶表示装置において、二つの出力映像信号ＡＮ、ＢＮのうちの大きいものに該当するデータ電圧を先に出力し、小さいものに該当するデータ電圧を後に出力することを示した。つまり、一つのフレームを二つのフィールドに分け、各フィールドに第１出力映像信号ＡＮと第２出力映像信号ＢＮのうちの一つを出力する。これにより、側面視認性を改善しながらも選択的にインパルス駆動の効果を得ることができる。
【００７９】
図１４Ａは、入力映像信号を補正せずに、そのまま出力した場合のデータ電圧を示している。
以上のように本発明によれば、互いに隣接するフレームの映像信号、つまり直前映像信号ＩＮ−１と現在映像信号ＩＮとの差に基づいて第１予備補正信号ＩＮ’を生成する。そして、その第１予備補正信号ＩＮ’に基づいて電圧を印加することで、目標電圧への到達を早くして液晶の応答速度を速めることができる。
【００８０】
また、第１予備補正信号ＩＮ’は、上位信号ＨＮ及び下位信号ＬＮからなる第２予備補正信号ＨＮ、ＬＮに変換される。ここで、上位信号ＨＮ及び下位信号ＬＮ各々に対応するガンマ曲線Ｔ１、Ｔ２の平均は、第１予備補正信号ＩＮ’に対応するガンマ曲線Ｔと一致する。そして、一つのフレームを二つのフィールドに分け、各フィールドに第２予備補正信号ＨＮ、ＬＮに基づいた電圧を出力する。このように、半フレーム毎に異なる電圧が印加されることで、液晶キャパシタに充電される電圧を変化させて側面視認性を改善することができるとともに、例えば焼き付きや，フリッカーなどを防ぐことができるというインパルス駆動の効果を得ることができる。
【００８１】
また、本発明によれば、画素の輝度差を測定することによって映像の境界（ｅｄｇｅ）を検出して境界変数αＮを算出する。そして、第２予備補正信号ＨＮ、ＬＮを境界変数αＮに応じて変化させて印加する。具体的に、画面の境界がない場合（境界変数αＮが０の映像の場合）には、半フレーム毎に印加する第２予備補正信号ＨＮ、ＬＮの値を同一にする。つまり、画面の境界がない場合には、１フレーム中に印加する電圧の値を一定とする。このようにするのは、境界変数αＮが０の映像において半フレーム毎に異なる電圧を印加するとフリッカー現象が起こりやすいためである。一方、画面の境界がある場合には、半フレーム毎に第２予備補正信号ＨＮ、ＬＮそれぞれに応じた電圧を印加する。このように、第２予備補正信号ＨＮ、ＬＮを境界変数αＮに応じて変化させることで、画面の境界がない場合には、フリッカー現象を抑制しつつ液晶の応答速度を速くし、画面の境界がある場合には、ブラーリング現象を抑制しつつ液晶の応答速度を早くすることができる。なお、ブラーリング現象とは、液晶分子の動作速度が遅いために、画面の境界部分がシャープにならずぼけて表示されることを意味する。  次に、図１５乃至図１７Ｂを参照して、本発明の他の実施形態による信号制御部について詳細に説明する。
【００８２】
図１５は、本発明の他の実施形態による信号制御部のブロック図であり、図１６は、図１５に示す信号制御部のうちの第３予備補正部を含む液晶表示装置を仮定し、時間による電圧変化を示すグラフであり、図１７Ａ及び図１７Ｂは、図１５の信号制御部のうちの第３予備補正部６４５の一例を示す表である。
図１５を参照すれば、本実施形態による信号制御部６０２は、フレームメモリ（ＦＭ）６１０、行メモリ（ＬＭ）６１１、及び映像信号補正部６２２を有する。
【００８３】
図１５のフレームメモリ６１０及び行メモリ６１１は、図３に示す信号制御部６０１のフレームメモリ６１０及び行メモリ６１１と実質的に同一であるので、詳細な説明は省略する。
映像信号補正部６２２は、第１予備補正部６３０、第３予備補正部６４５、境界検出部６５０、演算部６６１、及びマルチプレクサ６７１を有する。
【００８４】
図１５の第１予備補正部６３０及び境界検出部６５０も、図３に示す第１予備補正部６３０及び境界検出部６５０と実質的に同一である。つまり、第１予備補正部６３０は、フレームメモリ６１０から受けた直前映像信号ＩＮ−１に基づいて、行メモリ６１１からの現在映像信号ＩＮを第１予備補正信号ＩＮ’に変換する。境界検出部６５０は、行メモリ６１１から各画素とその周辺の種々の画素に対する映像信号ＩＮを受けて境界変数αＮを算出する。
【００８５】
第３予備補正部６４５は、フレームメモリ６１０からの直前映像信号ＩＮ−１に基づいて、行メモリ６１１からの現在映像信号ＩＮを上位信号ＱＨＮ及び下位信号ＱＬＮからなる第２予備補正信号に変換する。このとき、上位信号ＱＨＮ及び下位信号ＱＬＮは、直前映像信号ＩＮ−１と現在映像信号ＩＮを比較して決定する。例えば、現在映像信号ＩＮを先に図７に示すガンマ曲線に沿って二つの映像信号（高い映像信号及び低い映像信号）に変換した後、高い映像信号を直前映像信号ＩＮ−１と比較してＤＣＣ補正し上位信号ＱＨＮを生成し、低い映像信号を高い映像信号と比較してＤＣＣ補正し下位信号ＱＬＮを生成することができ、この結果がルックアップテーブルに記憶され得る。したがって、実際に上位信号ＱＨＮと下位信号ＱＬＮを得るときには、直前映像信号ＩＮ−１と現在映像信号ＩＮのみをルックアップテーブルに入れればよく、この場合、上位信号ＱＨＮを下位信号ＱＬＮより先に出力する。このようにする場合、上位信号ＱＨＮは高い映像信号より高い値になり、反対に下位信号ＱＬＮは低い映像信号よりさらに低い値になる。しかし、これとは異なって、上位信号ＱＨＮだけＤＣＣ補正が適用された信号である場合もあり、上位信号ＱＨＮと下位信号ＱＬＮを全て実験によって求めることも可能である。
【００８６】
次に、図１６乃至図１７Ｂを参照して、第３予備補正部６４５についてさらに詳細に説明する。
図１６は、本発明の他の実施形態による液晶表示装置において、第１予備補正信号及び第２予備補正信号に該当するデータ電圧を示すグラフである。
図１６も図９と同一に、横軸は時間をフレーム単位で示し、縦軸は絶対値で表示したデータ電圧を示す。
【００８７】
図１６のグラフは、図９のグラフと実質的に同一の入力映像信号から得たものであり、その形状も類似している。
しかし、直前フレームの入力映像信号と現在映像信号とが相異する（Ｎ＋１）番目フレームにおいては、上位データ電圧Ｖｏｈ’が目標データ電圧Ｖｂより高く、下位データ電圧Ｖｏｌ’が目標データ電圧Ｖｂより低い。しかし、下位データ電圧Ｖｏｌ’はその値が変わることもある。
【００８８】
このような第２補正信号の一例が、図１７Ａ及び図１７Ｂに示されている。図１７Ａ及び図１７Ｂは、各々階調の数が２５６個の場合、１６個の階調ごとに得られた第２予備補正信号の上位信号ＱＨＮ及び第２予備補正信号の下位信号ＱＬＮの一例を示す。
演算部６６１は、第１予備補正部６３０から第１予備補正信号ＩＮ’を、第３予備補正部６４５から上位信号ＱＨＮと下位信号ＱＬＮを、境界検出部６５０から境界変数αＮを受け、これに基づいて第１出力映像信号ＣＮ及び第２出力映像信号ＤＮを算出する。このとき、第１予備補正部６３０は第１予備補正信号ＩＮ’を２回出力し、演算部６６１による第１出力映像信号ＣＮ及び第２出力映像信号ＤＮの演算は、次の式（５）によって決定できる。
【００８９】
ＣＮ＝ＩＮ’＋αＮ（ＱＨＮ−ＩＮ’）
ＤＮ＝ＩＮ’＋αＮ（ＱＬＮ−ＩＮ’）  ・・・（５）
式（５）は、式（４）と実質的に同一の形態である。
本発明の他の実施形態によっても、前述の実施形態と同様の作用効果を奏する。例えば、互いに隣接するフレームの映像信号、つまり直前映像信号ＩＮ−１と現在映像信号ＩＮとの差に基づいて電圧を印加することで、目標電圧への到達を早くして液晶の応答速度を速めることができる。
【００９０】
一つのフレームを二つのフィールドに分け、各フィールドに前述の上位信号ＱＨＮ及び下位信号ＱＬＮに基づいた電圧を出力する。このように、半フレーム毎に異なる電圧が印加されることで、液晶キャパシタに充電される電圧を変化させて側面視認性を改善することができるとともに、例えば焼き付きや，フリッカーなどを防ぐことができるというインパルス駆動の効果を得ることができる。
【００９１】
また、上位信号ＱＨＮ及び下位信号ＱＬＮを境界変数αＮに応じて変化させることで、画面の境界がない場合には、フリッカー現象を抑制しつつ液晶の応答速度を速くし、画面の境界がある場合には、ブラーリング現象を抑制しつつ液晶の応答速度を早くすることができる。
なお、上記実施形態では映像信号から２つの高い信号及び低い信号を生成し、１フレームを２つのフィールドに分けて高い信号及び低い信号を印加している。しかし、映像信号から２以上の信号を生成し、１フレームを２以上のフィールドに分けて２以上の信号を印加するようにしても良い。
【００９２】
以上、本発明の好ましい実施形態について詳細に説明したが、本発明の権利範囲はこれに限定されるわけではなく、添付した請求範囲で定義している本発明の基本概念を利用した当業者の種々の変形及び改良形態も本発明の権利範囲に属するものである。
【図面の簡単な説明】
【００９３】
【図１】本発明の一実施形態による液晶表示装置のブロック図である。
【図２】本発明の一実施形態による液晶表示装置の一つの画素に対する等価回路図である。
【図３】本発明の他の実施形態による信号制御部のブロック図である。
【図４】図３に示す信号制御部の第１予備補正部の一例であるルックアップテーブルを示す表である。
【図５】図３に示す信号制御部で出力映像信号を決定する他の方法を説明するための図面である。
【図６】図３に示す信号制御部の第２予備補正部を示すブロック図である。
【図７】図３に示す信号制御部で第２予備補正信号によるガンマ曲線を示すグラフである。
【図８】図３に示す信号制御部の第２予備補正部の一例であるルックアップテーブルを示す表である。
【図９】図３に示す信号制御部のうちの第１及び第２予備補正部を含む液晶表示装置を仮定して、時間による電圧変化を示すグラフである。
【図１０】図３に示す信号制御部のうちの境界検出部の一例を示すブロック図である。
【図１１Ａ】図１０に示す境界検出部のうちのＸ方向フィルタを示す図面である。
【図１１Ｂ】図１０に示す境界検出部のうちのＹ方向フィルタを示す図面である。
【図１２Ａ】図１１に示す境界検出部のうちのスケール調整部の多様な例を示すグラフ（１）である。
【図１２Ｂ】図１１に示す境界検出部のうちのスケール調整部の多様な例を示すグラフ（２）である。
【図１２Ｃ】図１１に示す境界検出部のうちのスケール調整部の多様な例を示すグラフ（３）である。
【図１２Ｄ】図１１に示す境界検出部のうちのスケール調整部の多様な例を示すグラフ（４）である。
【図１２Ｅ】図１１に示す境界検出部のうちのスケール調整部の多様な例を示すグラフ（５）である。
【図１３Ａ】本発明の一実施形態による液晶表示装置が表示する映像の一例を示す図面である。
【図１３Ｂ】図１３Ａに示す液晶表示装置が表示する映像の境界を検出した結果を示す図面である。
【図１４Ａ】図３に示す信号制御部を含む液晶表示装置における映像信号を補正する前のデータ電圧を示す波形図である。
【図１４Ｂ】図３に示す信号制御部を含む液晶表示装置における映像信号を補正した後のデータ電圧を示す波形図である。
【図１５】本発明の他の実施形態による信号制御部のブロック図である。
【図１６】図１５に示す信号制御部のうちの第３予備補正部を含む液晶表示装置を仮定して、時間による電圧変化を示すグラフである。
【図１７Ａ】図１５に示す信号制御部のうちの第３予備補正部の一例であるルックアップテーブルを示す表である。
【図１７Ｂ】図１５に示す信号制御部のうちの第３予備補正部の一例であるルックアップテーブルを示す表である。
【符号の説明】
【００９４】
３  液晶層
１００  下部表示板
１９０  画素電極
２００  上部表示板
２３０  カラーフィルタ
２７０  共通電極表示板
３００  液晶表示板組立体
４００  ゲート駆動部
５００  データ駆動部
６００、６０１、６０２  信号制御部
６１０  フレームメモリ
６１１  行メモリ
６２０、６２１、６２２  映像信号補正部
６３０  第１予備補正部
６４０  第２予備補正部
６４５  第３予備補正部
６５０  境界検出部
６５１  フィルタ
６５２、６６０、６６１  演算部
６５３  スケール調整部
６７０、６７１  マルチプレクサ
【図１】
2008040493.tif 000004
【図２】
2008040493.tif 000005
【図３】
2008040493.tif 000006
【図４】
2008040493.tif 000007
【図５】
2008040493.tif 000008
【図６】
2008040493.tif 000009
【図７】
2008040493.tif 000010
【図８】
2008040493.tif 000011
【図９】
2008040493.tif 000012
【図１０】
2008040493.tif 000013
【図１１Ａ】
2008040493.tif 000014
【図１１Ｂ】
2008040493.tif 000015
【図１２Ａ】
2008040493.tif 000016
【図１２Ｂ】
2008040493.tif 000017
【図１２Ｃ】
2008040493.tif 000018
【図１２Ｄ】
2008040493.tif 000019
【図１２Ｅ】
2008040493.tif 000020
【図１４Ａ】
2008040493.tif 000021
【図１４Ｂ】
2008040493.tif 000022
【図１５】
2008040493.tif 000023
【図１６】
2008040493.tif 000024
【図１７Ａ】
2008040493.tif 000025
【図１７Ｂ】
2008040493.tif 000026
【図１３Ａ】
2008040493.tif 000027
【図１３Ｂ】
2008040493.tif 000028